(57)【要約】【課題】異常が発生した時に、モニターテレビの監視者に判断しやすい画面で注意を喚起すると共に、画面を文字等でさえぎることのない監視用カメラ装置を提供する。【解決手段】ドアーや窓の開閉あるいは人物の存在等を検知するセンサーの出力をセンサー入力端子１７に入力し、監視カメラの信号処理回路１３を制御して、カメラ番号等の定常的に画面に表示している文字に色調の変化を加えるか、または画面の縁取り部若しくは全体の色調に変化を与えることにより、新たに注意を喚起する文字を画面に加えることなく、画像の情報を維持したまま異常事態を知らせる監視用カメラ装置を提供することができる。【選択図】図１
2005151394.tif 000002
【特許請求の範囲】
【請求項１】
監視区域内に設置された状態の変化を検知するセンサーの検出信号を、前記監視区域を撮影する監視用カメラ装置に入力し、状態の変化が検知されたときに出力映像信号を加工して状態の変化を知らせる回路手段を有する監視カメラ装置において、
前記回路手段は、前記出力映像信号の一部または全体の色調を変化させる手段によって構成されることを特徴とする監視カメラ装置。
【請求項２】
前記回路手段は、前記出力映像信号に定常的に挿入されている文字部分を着色するか、または文字部分の色調を変化させる手段であることを特徴とする請求項1に記載の監視カメラ装置。
【請求項３】
前記回路手段は、前記出力映像信号を画像表示したときに、表示画像の外周部分に相当する個所の色調を変化させる手段であることを特徴とする請求項1に記載の監視カメラ装置。
【発明の詳細な説明】
【技術分野】
【０００１】
本発明は、モニターテレビを利用して遠方監視を行うのに用いる監視用カメラ装置に係り、特に異常時における監視者への警報手段に関する。
【背景技術】
【０００２】
従来、広い範囲にわたって多数の監視用カメラ装置を設置し、この監視用カメラ装置で撮像した映像を一箇所に集めて多数のモニターテレビに映し出し、監視者が絶えずこのモニターテレビを注視して異常を発見する監視方法が行われている。このような、画面に映し出された映像から異常を発見する作業は非常に集中力を必要とするものであるため、時として異常を見落としたり、異常時に画面から瞬時に場所が特定できなかったりすることがおきる。
【０００３】
そこで、監視用カメラの映像とは別に異常を検知するためのセンサーを設け、そのセンサー出力を制御に用いて映像信号上に文字をスーパーインポーズし、監視者が異常を判断しやすくする方法がとられるなど、異常を検知するためのセンサーとカメラ装置とを組み合わせる監視装置が提案されている（例えば、特許文献１参照）。
【０００４】
図５は、異常を検知するセンサーと監視用カメラとを組み合わせ、異常個所を画面に表示するようにした一例である。
この例では、ドアーと窓にセンサーを設け、それらの開閉が行われた時にセンサーが感知するようにし、そのセンサー出力を用いて監視用カメラの出力映像信号に、あらかじめ用意した文字（この例では、文字「ＤＯＯＲ」５２、「ＷＩＮＤＯＷ」５３）を図に示す場所にスーパーインポーズするようにして、異常の発生と異常個所を監視者に分かり易くする方法が採られている。なお、文字「ＣＡＭ−１(Room1)」５１はこの画像の区別をするために定常的に表示しているものである。
【特許文献１】特開昭６３−７０６８４号公報
【発明の開示】
【発明が解決しようとする課題】
【０００５】
異常時にカメラで撮影した映像に文字をスーパーインポーズして表示する場合、文字が小さいと注意を喚起できないためにある程度の大きさが必要である。しかし、画面上に大きな文字を表示すると、文字にさえぎられて見えなくなる部分が生じ、画像の細部の確認が十分にできず、監視の目的が果たせないという課題があった。
【０００６】
本発明は、このような従来の問題点に鑑みなされたものであり、その目的は、センサーによって異常が検知されたときに、画面を文字でさえぎることなく異常状態を表示し、監視者に異常を喚起する監視用カメラ装置を提供するものである。
【課題を解決するための手段】
【０００７】
本発明は、上記課題を解決する手段として以下の（１）−（３）に記載の構成からなる。すなわち、
（１）監視区域内に設置された状態の変化を検知するセンサーの検出信号を、前記監視区域を撮影する監視用カメラ装置に入力し、状態の変化が検知されたときに出力映像信号を加工して状態の変化を知らせる回路手段を有する監視カメラ装置において、
前記回路手段は、前記出力映像信号の一部または全体の色調を変化させる手段によって構成されることを特徴とする監視カメラ装置。
（２）前記回路手段は、前記出力映像信号に定常的に挿入されている文字部分を着色するか、または文字部分の色調を変化させる手段であることを特徴とする請求項1に記載の監視カメラ装置。
（３）前記回路手段は、前記出力映像信号を画像表示したときに、表示画像の外周部分に相当する個所の色調を変化させる手段であることを特徴とする請求項1に記載の監視カメラ装置。
【発明の効果】
【０００８】
本発明は、センサーによって異常が検知されたときに、画面の一部あるいは全体に色の変化を与えることで監視者に異常を喚起するものであり、画面を文字でさえぎることがないので、細部にわたって画面を注視でき、異常の状況や人物の判定に支障の起こらない画像が得られる効果を有するものである。
【発明を実施するための最良の形態】
【０００９】
以下、本発明の監視用カメラ装置の実施形態につき、好ましい実施例により図面を参照して説明する。
【実施例】
【００１０】
図１は本発明に係る監視用カメラ装置の構成を示すブロック図、図２は図１内の信号処理回路部分を説明するためのブロック図、図３は本発明の監視用カメラ装置から出力された異常時の映像信号による表示画像の第１の例、図４は同じく第２の例である。
【００１１】
図１において、１０は被写体からの光、１１はレンズ、１２はＣＣＤなどの撮像素子、１３は信号処理回路、１４は映像出力端子、１５はオンスクリーン処理回路、１６は各ブロックを制御するＣＰＵ、１７はセンサー入力端子、１８はメモリ、１９は入力部である。なお、センサー入力端子には複数のセンサー出力が接続される。
同図で、レンズ１１で結像した被写体像は撮像素子１２で画像信号に変換され、信号処理回路１３で、例えばＮＴＳＣ信号などの標準カラー映像信号に生成されて映像出力端子１４から出力される。
【００１２】
一方、入力部１９では監視用カメラの番号や撮影場所などの文字情報と表示位置、大きさ等の条件をあらかじめ用意されたメニューに従い手動入力し、それらの情報はＣＰＵ１６を経由してメモリ１８に保存されると共に、適宜ＣＰＵ１６で読み出されてオンスクリーン処理回路１５に供給される。オンスクリーン処理回路１５では、これらの情報から映像信号と合成できる文字信号（キャラクタ）を作成して信号処理回路１３に供給する。
【００１３】
信号処理回路１３は前記したように撮像素子１２から画像信号が入力されるが、内部では図２に示すように、輝度信号処理部１３１、色信号処理部１３２に分れて夫々信号処理される。前記オンスクリーン処理回路１５で作成された文字信号は、輝度信号の経路にあるキャラクタＭＩＸ回路１３３と色信号の経路にある同１３４に供給されて夫々画像信号と合成される。文字信号が合成された輝度信号成分と色信号成分の２つの画像信号は、次のエンコーダ１３５でＮＴＳＣ標準カラー映像信号に生成される。このとき、文字信号部分を白文字にするか黒文字にするかは入力部１９で選択し設定するようになっている。
【００１４】
次に異常状態が発生した場合の信号処理について説明する。
本実施例では異常を検出するセンサーとして、ドアーと窓の開閉および人物感知の３種類が設置されているものとする（図示せず）。これらのセンサー出力は図１のセンサー入力端子１７に接続され、ＣＰＵ１６に夫々入力される。
ＣＰＵ１６はセンサーのいずれかから異常を検知したことによる出力信号が入力された場合には、信号処理回路１３とオンスクリーン処理回路１５とを制御し、出力映像信号の色に変化を加える動作を行う。図３は異常時の表示方法の第１の例を示したもので、右下の文字に濃い色を付け目立つように色の点滅をしている様子を示したものである。この場合、すでに挿入されている文字に色を付け加えただけで新たに文字を追加することは行わない。
【００１５】
図４は異常時の表示方法の第２の例を示したもので、画面の周囲に半透明色による縁取りを加えたものである。この表示方法はたくさん並んだモニターテレビの中から異常画面の見分けがつき易い。なお、この縁取り範囲の色調は、明るくて目立つものが良いが、常に変化を加えるとより効果的である。
また、簡易的には異常時に画面全体の色調を変えても他の画面との区別ができるので注意を喚起することが可能である。
【００１６】
次に監視者がモニターテレビの画面が上記のような異常を知らせる画面に変わったことに気づいた場合には、その状態が本当に異常であるかを画面上で確認しなくてはならないが、その時、本実施例の方法は、画面をさえぎる文字等を出さないので細部にわたって画面を注視でき、異常の状況や人物の判定に支障の起こさず、正確で迅速な確認が可能となる。
また、監視用カメラの画像を録画しておき、あとで画面を確認する場合にも、早送り再生で異常画面を探す時には、色調の変化した個所は分かり易く検索が容易である特徴がある。
【図面の簡単な説明】
【００１７】
【図１】本発明の監視用カメラ装置の構成を示すブロック図である。
【図２】図１の信号処理回路部分を説明するためのブロック図である。
【図３】本発明の監視用カメラ装置から出力された異常時の映像信号による表示画像の第１の例を示した図である。
【図４】本発明の監視用カメラ装置から出力された異常時の映像信号による表示画像の第２の例を示した図である。
【図５】従来の監視用カメラ装置から出力された映像信号の表示画面の図である。
【符号の説明】
【００１８】
１０  被写体光
１１  レンズ
１２  撮像素子
１３  信号処理回路
１４  映像出力端子
１５  オンスクリーン処理回路
１６  ＣＰＵ
１７  センサー入力端子
１８  メモリ回路
１９  入力部
３１  カメラ番号表示
４１  色を変える縁取りの範囲
５１  カメラ番号表示
５２  ドアー警告表示
５３  ウインドウ警告表示
１３１  輝度信号処理部
１３２  色信号処理部
１３３  キャラクタＭＩＸ回路
１３４  キャラクタＭＩＸ回路
１３５  エンコーダ
【図１】
2005151394.tif 000003
【図２】
2005151394.tif 000004
【図３】
2005151394.tif 000005
【図４】
2005151394.tif 000006
【図５】
2005151394.tif 000007